(57)【特許請求の範囲】
【請求項１】
入力された画像データの処理を分担して、並列に処理を行なう複数の画像処理プロセッサと、
前記入力された画像データが単色原稿のものであるかカラー原稿のものであるかを判定する判定手段と、
前記判定手段による判定結果に基づいて、前記複数の画像処理プロセッサの処理の分担方法を変更する変更手段とを備え、
前記変更手段は、
前記判定手段の判定結果が単色原稿であるときに、前記入力された画像データを分割し、前記複数の画像処理プロセッサの各々で前記分割された画像データの処理が行なわれるように制御する第１の制御手段と、
前記判定手段の判定結果がカラー原稿であるときに、前記複数の画像処理プロセッサの各々がそれぞれ異なる色の画像データを処理するように制御する第２の制御手段とを含む、画像処理装置。
【請求項２】
入力された画像データの処理を分担して、並列に処理を行なう複数の画像処理プロセッサと、
前記入力された画像データが単色原稿のものであるかカラー原稿のものであるかを判定する判定手段と、
前記判定手段による判定結果に基づいて、前記複数の画像処理プロセッサの処理の分担方法を変更する変更手段とを備え、
前記変更手段は、
前記判定手段の判定結果が単色原稿であるときに、前記複数の画像処理プロセッサの各々が１頁分の画像データを処理するように制御する第１の制御手段と、
前記判定手段の判定結果がカラー原稿であるときに、前記複数の画像処理プロセッサの各々がそれぞれ異なる色の画像データを処理するように制御する第２の制御手段とを含む、画像処理装置。
【請求項３】
入力された画像データの処理を分担して、並列に処理を行なう複数の画像処理プロセッサと、
前記入力された画像データが単色原稿のものであるかカラー原稿のものであるかを判定する判定手段と、
前記判定手段による判定結果に基づいて、前記複数の画像処理プロセッサの処理の分担方法を変更する変更手段とを備え、
前記変更手段は、前記判定手段の判定結果が単色原稿であるときには、判定結果がカラー原稿であるときよりも、前記複数の画像処理プロセッサの各々が並行して処理する画像データの頁数が多くなるように制御する制御手段を含む、画像処理装置。
【請求項４】
原稿を読取ってＲデータ、Ｇデータ、Ｂデータよりなる画像データに変換する原稿読取手段をさらに備え、
前記入力された画像データは、前記原稿読取手段により変換された画像データである、請求項１〜３のいずれかに記載の画像処理装置。
【発明の詳細な説明】
【０００１】
【発明の属する技術分野】
この発明は画像処理装置に関し、特に入力された画像データの処理を分担して並列に処理を行なう複数の画像処理プロセッサを備える画像処理装置に関する。
【０００２】
【従来の技術】
従来より自動原稿送り装置（ＡＤＦ）を用いて大量の原稿を効率よく画像処理する画像処理装置が知られている。原稿にはカラー原稿（複数色のデータからなる原稿）やモノクロ（単色）原稿がある。
【０００３】
【発明が解決しようとする課題】
この発明は、そのような画像処理装置の処理速度を向上させることを目的としている。
【０００４】
【課題を解決するための手段】
上記目的を達成するためこの発明のある局面に従うと画像処理装置は、入力された画像データの処理を分担して、並列に処理を行なう複数の画像処理プロセッサと、入力された画像データが単色原稿のものであるかカラー原稿のものであるかを判定する判定手段と、判定手段による判定結果に基づいて複数の画像処理プロセッサの処理の分担方法を変更する変更手段とを備える。
【０００５】
変更手段は、判定手段の判定結果が単色原稿であるときに、入力された画像データを分割し、複数の画像処理プロセッサの各々で分割された画像データの処理が行なわれるように制御する第１の制御手段と、判定手段の判定結果がカラー原稿であるときに、複数の画像処理プロセッサの各々がそれぞれ異なる色の画像データを処理するように制御する第２の制御手段とを含む。
【０００６】
この発明の他の局面に従うと、変更手段は、判定手段の判定結果が単色原稿であるときに、複数の画像処理プロセッサの各々が１頁分の画像データを処理するように制御する第１の制御手段と、判定手段の判定結果がカラー原稿であるときに、複数の画像処理プロセッサの各々がそれぞれ異なる色の画像データを処理するように制御する第２の制御手段とを含む。
【０００７】
この発明のさらに他の局面に従うと、変更手段は、判定手段の判定結果が単色原稿であるときには、判定結果がカラー原稿であるときよりも、複数の画像処理プロセッサの各々が並行して処理する画像データの頁数が多くなるように制御する制御手段を含む。
好ましくは、画像処理装置は、原稿を読取ってＲデータ、Ｇデータ、Ｂデータよりなる画像データに変換する原稿読取手段をさらに備え、入力された画像データは、原稿読取手段により変換された画像データである。
【０００８】
これらの発明に従うと、入力された画像データが単色原稿のものであるかカラー原稿のものであるかが判定され、その判定結果に基づいて複数の画像処理プロセッサの処理の分担方法が変更されるため、画像処理装置の処理速度を向上させることができる。
【０００９】
【発明の実施の形態】
［第１の実施の形態］
図１は本発明の第１の実施の形態におけるデジタル複写機の全体構成を示す図である。図を参照して、スキャナ部３０は原稿を読取る。画像処理装置１０は画像処理を行なう。プリンタ部２０は画像処理装置１０から信号を受取り、原稿画像に対応した画像を記録シートにフルカラーでプリントする。
【００１０】
まずスキャナ部３０での原稿読取について説明する。原稿は自動原稿送り装置（以下ＡＤＦという）１６により原稿台３１上に供給される。原稿台３１上の原稿は、ランプ３２で照射される。原稿からの反射光はミラー３３ａ，３３ｂ，３３ｃを経てレンズ３４により固体撮像センサ３５上に像を結び、フルカラー情報のレッド（Ｒ），グリーン（Ｇ），ブルー（Ｂ）成分に変換され、画像処理部１０に送られる。
【００１１】
画像処理装置１０は、読取られた原稿がカラー原稿であるか白黒原稿であるかを判定し、その判定結果に応じた画像処理を行ない、画像処理の行なわれた画像データをプリンタ部２０に送る。画像処理装置１０から送られる画像データは、半導体レーザドライブにおいて画像信号レベルに基づいてレーザ発光部２１４を駆動変調する。レーザ光はポリゴンミラー２１５，光学系２１６、折返しミラー２１７ａ，２１７ｂを介して、帯電チャージャ２０７により帯電された感光体ドラム２０６を走査し、静電潜像を形成する。
【００１２】
現像ユニットは、シアン（Ｃ）現像器２０８ａ、マゼンタ（Ｍ）現像器２０８ｂ、イエロー（Ｙ）現像器２０８ｃ、ブラック（Ｂｋ）現像器２０８ｄにより構成されている。各現像器２０８ａ〜２０８ｄは感光体ドラム２０６に接し、感光体ドラム２０６上に形成された静電潜像をトナーで現像する。一方、給紙カセット２０１ａ，２０１ｂ，２０１ｃより給紙されてきた記録シートは転写ドラム２０２に吸着チャージャ２０４により巻付けられ、タイミングローラ２０３により転写位置へ搬送される。感光体ドラム２０６上に現像されたトナー像は転写チャージャ２０５により記録シートに転写される。なお、転写ドラムには基準位置センサ２１８，２１９が設けられている。Ｃ，Ｍ，Ｙ，Ｂｋの４色のトナー像が順次転写された後、分離チャージャ２０９ａ，２０９ｂにより記録シートが分離され、搬送されて分離爪２２０により記録シートは転写ドラム２０２から分離される。記録シートは定着ローラ２１０ａ，２１０ｂを通過して排紙トレー２１１に排出される。
【００１３】
図２は、図１の画像処理装置１０の構成を示すブロック図である。図を参照して、画像処理装置１０は、固体撮像センサ３５から送られてきた信号に基づいて、読取られた原稿がカラー原稿であるか白黒原稿であるかを判定するカラー／白黒判定部（ＡＣＳ）１０１と、画像データの処理を分担して並列に処理を行なう複数の画像処理プロセッサを含む画像処理部１０３と、ＲＧＢからなる信号をＣＭＹＫ信号に変換する変換部１０５とから構成される。
【００１４】
画像処理部１０３は、カラー／白黒判定部（ＡＣＳ）１０１からの判定信号（−ＣＯＬＯＲ）に基づき、複数の画像処理プロセッサの処理の分担方法を変更する。
【００１５】
カラー／白黒判定部（ＡＣＳ）１０１は、２つのヒストグラムを記録するヒストグラムメモリを有する。図３を参照して、ヒストグラムの１つは読取られた画像データの中に含まれるすべての画素の明度のヒストグラムｈ１（ｎ）であり、もう１つは読取られた画像データの中に含まれる無彩色ドットの明度ヒストグラムｈ２（ｎ）である。
【００１６】
なお、ｎの値は画素の明度を示し、０から２５５の値を取り得る。ｎが０である画素は最も明度の低い画素であり、ｎが２５５である画素は最も明度の高い画素である。
【００１７】
すなわちヒストグラムｈ１（ｎ）の値としては、ｎの明度を有する画素の数が記録される。
【００１８】
またヒストグラムｈ１（ｎ）からヒストグラムｈ２（ｎ）の値を減算することにより、図４に示される原稿に含まれる有彩色の画素の明度ヒストグラムｈ３（ｎ）が作成される。
【００１９】
画像データに含まれる画素の１つが有彩色ドット（有彩色の画素）であるか、無彩色ドット（無彩色の画素）であるかはその画素の有する色データであるＲデータ、ＧデータおよびＢデータのうちの最大値と最小値とを識別し、その最大値から最小値を減算した値に基づいて判定される。この減算した値が所定値（ＳＲＥＦ）以下であればその画素は無彩色ドットであると判定され、無彩色ドットの数のみがヒストグラムｈ２（ｎ）に記録される。
【００２０】
これらのヒストグラムに基づいて、以下の式（１）から原稿内の下地（白）領域を構成するドット数Ｗｎ、白黒の中間調（グレー）領域のドット数Ｍｎ、黒領域のドット数Ｂｎ、カラー領域のドット数Ｃｎおよびすべての画素の明度ヒストグラムの総度数Ｓｎ（原稿サイズ内の総画素数を示す）が算出される。
【００２１】
【数１】
0003849326.tif 000002
【００２２】
なお、式（１）においてμ1 は無彩色ドットを明度により白ドットと中間調ドットとに分けるためのしきい値を示し、μ2 は無彩色ドットを中間調ドットと黒ドットとに分けるためのしきい値を示す。
【００２３】
またｂ1 ，ｂ2 は無彩色ドットに含まれないドットのうち、ドットをカラー領域のドットと見なすための明度の上限値と下限値とを示す。
【００２４】
図５は、明度と色相とにより作られる領域を示した図である。
図を参照して、横軸は画素の有する色データであるＲデータ、ＧデータおよびＢデータのうちの最大値と最小値との差を示し、縦軸は画素の明度を示す。
【００２５】
画素が有彩色であるか無彩色であるかは、横軸のしきい値ＳＲＥＦの値で区切られる。
【００２６】
しきい値ＳＲＥＦで区切られた無彩色の領域（図面左側の領域）に属するドットのうち、明度μ1 とμ2 とを境界として、白ドット、グレードットおよび黒ドットが識別される。
【００２７】
また、有彩色の領域にあるドットのうち、明度がｂ2 からｂ1 の範囲にあるドットがカラー領域のドットであると判定される。
【００２８】
カラー／白黒判定部１０１において、変数ＳｎおよびＣｎにより、原稿が白黒原稿であるかカラー原稿であるかが判別される。より具体的には、Ｃｎ／Ｓｎの値が基準値以下であれば、原稿はモノクロ原稿として判断され、基準値よりも大きければ、カラー原稿として判断される。
【００２９】
図６は、カラー／白黒判定部１０１の行なう処理を示すフローチャートである。図を参照して、ステップＳ１０１においてスキャナ部３０による原稿のスキャンが行なわれ、原稿画像データが取得される。ステップＳ１０３において、全ドットの明度ヒストグラムおよび無彩色ドットの明度ヒストグラムの分析が行なわれ、Ｃｎ／Ｓｎが基準値以下であるか否かが判定される。
【００３０】
ステップＳ１０３においてＹＥＳであれば、ステップＳ１０４においてその原稿は白黒原稿であると判断され、ステップＳ１０３においてＮＯであれば、ステップＳ１０６においてその原稿はカラー原稿であると判定される。
【００３１】
図７は、画像処理部１０３の構成を示すブロック図である。図を参照して、画像処理部１０３は、Ｒデータ格納メモリＲｉｎと、Ｇデータ格納メモリＧｉｎと、Ｂデータ格納メモリＢｉｎと、Ｒデータ格納メモリＲｉｎから出力される画像データを３分割して出力する入力画像バス制御部１０５と、それぞれＲ，Ｇ，Ｂデータ格納メモリＲｉｎ，Ｇｉｎ，Ｂｉｎの出力または入力画像バス制御部１０５の出力を選択して出力するセレクタ１０７，１０９，１１１と、セレクタ１０７，１０９，１１１の出力に対してγ補正、ｌｏｇ補正、シェーディング補正、変倍補正などＲ，Ｇ，Ｂに相関関係がない画像処理を行なうＭＰＵ１１３ａ〜１１３ｃと、ＭＰＵ１１３ａ〜１１３ｃの出力をまとめて、１つの画像データとして出力する出力画像バス制御部１１５と、ＭＰＵ１１３ａの出力または出力画像バス制御部１１５の出力を選択して出力するセレクタ１１７と、セレクタ１１７の出力を記憶するＲデータ格納メモリＲｏｕｔと、ＭＰＵ１１３ｂの出力を記憶するＧデータ格納メモリＧｏｕｔと、ＭＰＵ１１３ｃの出力を記憶するＢデータ格納メモリＢｏｕｔとから構成される。
【００３２】
セレクタ１０７，１０９，１１１はカラー／白黒判定部１０１からの信号により出力すべきデータを決定する。具体的には、セレクタ１０７，１０９，１１１は原稿画像がカラーであると判定されたときにはＲ，Ｇ，Ｂデータ格納メモリＲｉｎ，Ｇｉｎ，Ｂｉｎの出力値を出力するようにし、判定結果が白黒であるときには、入力画像バス制御部１０５の出力値を出力するようにする。
【００３３】
セレクタ１１７もカラー／白黒判定部１０１からの信号により出力を決定する。判定結果がカラーであれば、セレクタ１１７はＭＰＵ１１３ａからの出力値を出力する。一方、判定結果が白黒であればセレクタ１１７は出力画像バス制御部１１５からの出力値を出力する。
【００３４】
図８は、図７の画像処理部１０３の動作を説明するための図である。図を参照して、原稿画像データはカラー／白黒判定部（ＡＣＳ）１０１によりカラー原稿であるか白黒原稿であるかが判定される。判定結果がカラー原稿であれば、そのカラー原稿のＲデータ、Ｇデータ、およびＢデータはそれぞれＲデータ格納メモリＲｉｎ、Ｇデータ格納メモリＧｉｎ、Ｂデータ格納メモリＢｉｎに記憶される。その後、ＭＰＵ１１３ａ〜１１３ｃはそれぞれのデータ格納メモリに格納された色の画像データを処理する。その処理結果はＲデータ格納メモリＲｏｕｔ、Ｇデータ格納メモリＧｏｕｔ、Ｂデータ格納メモリＢｏｕｔにそれぞれ格納される。
【００３５】
一方、原稿画像データ３００が白黒原稿のものであると判定されたときには、白黒の原稿画像データはＲデータ格納メモリＲｉｎに格納される。その後、入力画像バス制御部１０５はＲデータ格納メモリＲｉｎに格納された画像データを３分割して分割されたそれぞれの画像データをＭＰＵ１１３ａ〜１１３ｃに送信する。ＭＰＵ１１３ａ〜１１３ｃによる処理結果は、出力画像バス制御部１１５に送られ、１つの画像データとされた後Ｒデータ格納メモリＲｏｕｔに格納される。
【００３６】
このように、本実施の形態においてはカラー／白黒判定の結果、原稿がカラーの場合は、Ｒ，Ｇ，Ｂの画像データをそれぞれ３つのＭＰＵにより処理し、原稿が白黒のときは１つの画像データを３つのＭＰＵを用いて処理する。これにより、複数枚の原稿ＡＤＦなどを用いて一度に画像処理する場合において、カラー原稿とモノクロ原稿の混在しているときとモノクロ原稿のみを処理するときの処理スピードの向上を図ることができる。
【００３７】
［第２の実施の形態］
第２の実施の形態におけるデジタル複写機の全体構成は第１の実施の形態におけるそれと同一であるのでここでの説明を繰返さない。第２の実施の形態においては、図７に示される画像処理部１０３に代えて図９に示される画像処理部が用いられる。
【００３８】
図を参照して、画像処理部は送られてきたＲデータを１頁の原稿の区切りごとに分割して出力する入力画像バス制御部４０１と、Ｒ，Ｇ，Ｂデータを出力するか、入力画像バス制御部４０１からのデータを出力するか選択するセレクタ４０３，４０５，４０７と、セレクタ４０３，４０５，４０７のそれぞれのデータを格納するＲデータ格納メモリＲｉｎ、Ｇデータ格納メモリＧｉｎ、およびＢデータ格納メモリＢｉｎと、Ｒ，Ｇ，Ｂデータ格納メモリＲｉｎ，Ｇｉｎ，Ｂｉｎのそれぞれのデータを処理するＭＰＵ１１３ａ〜１１３ｃと、ＭＰＵ１１３ａ〜１１３ｃのそれぞれの出力を格納するＲデータ格納メモリＲｏｕｔ、Ｇデータ格納メモリＧｏｕｔと、およびＢデータ格納メモリＢｏｕｔと、Ｒ，Ｇ，Ｂデータ格納メモリＲｏｕｔ，Ｇｏｕｔ，Ｂｏｕｔの出力を一連の画像データとする出力画像バス制御部４１１と、Ｒデータ格納メモリＲｏｕｔからのデータまたは出力画像バス制御部４１１からのデータを選択して出力するセレクタ４１３とから構成される。
【００３９】
セレクタ４０３，４０５，４０７はカラー／白黒判定部１０１からの信号に基づき選択を行ない、判定結果がカラーであればＲ，Ｇ，Ｂデータを選択し出力する。一方、判定結果が白黒であれば入力画像バス制御部４０１からのデータを選択し、出力する。
【００４０】
セレクタ４１３もカラー／白黒判定部１０１の判定結果に基づいて選択を行ない、判定結果がカラーであればＲデータ格納メモリＲｏｕｔからのデータを選択し、判定結果が白黒であれば出力画像バス制御部４０１からのデータを選択し、出力する。
【００４１】
図１０は、本実施の形態における画像処理装置の動作を説明するための図である。処理すべき原稿画像データがカラー原稿Ｐ１であれば、その原稿のＲ，Ｇ，ＢデータはそれぞれＲデータ格納メモリＲｉｎ，Ｇデータ格納メモリＧｉｎ，Ｂデータ格納メモリＢｉｎに格納され、それぞれＭＰＵ１１３ａ〜１１３ｃで処理された後、Ｒデータ格納メモリＲｏｕｔ、Ｇデータ格納メモリＧｏｕｔ、Ｂデータ格納メモリＢｏｕｔに格納される。
【００４２】
一方、カラー／白黒判定部１０１の判定に基づき、白黒原稿が連続した場合、最大３頁の白黒原稿Ｐ２〜Ｐ４の画像データがそれぞれＲデータ格納メモリＲｉｎ、Ｇデータ格納メモリＧｉｎ、Ｂデータ格納メモリＢｉｎに格納され、それぞれのＭＰＵ１１３ａ〜１１３ｃで処理される。その処理結果がＲデータ格納メモリＲｏｕｔ、Ｇデータ格納メモリＧｏｕｔ、Ｂデータ格納メモリＢｏｕｔに格納された後、出力画像バス制御部４１１の作用によりＲデータの信号線から出力される。
【００４３】
なお、図１０では白黒原稿が３枚連続した場合を説明しているが、白黒原稿が２枚連続した場合には、Ｒデータ格納メモリＲｉｎおよびＧデータ格納メモリＧｉｎを用いてＭＰＵ１１３ａ，１１３ｂにより画像データは処理される。また、白黒原稿が１枚のみ存在する場合には、Ｒデータ格納メモリＲｉｎおよびＭＰＵ１１３ａのみを用いて画像データは処理される。
【００４４】
以上のように本実施の形態においては白黒原稿が連続した場合にその原稿データをＭＰＵ１１３ａ〜１１３ｃにより並列して処理することができるため、処理速度を向上させることができる。
【００４５】
［第３の実施の形態］
第３の実施の形態におけるデジタル複写機の全体構成は第１の実施の形態と同じであるためここでの説明は繰返さない。本実施の形態においては図７に示される画像処理部１０３に代えて、図１１に示される画像処理部が用いられる。図を参照して、画像処理部は入力される画像データの流れを制御する入力画像バス制御部５０１と、それぞれ１頁分のＲ，Ｇ，Ｂの画像データを格納することができるＲ，Ｇ，Ｂデータ格納メモリＭＩ１〜ＭＩ３と、Ｒ，Ｇ，Ｂデータ格納メモリＭＩ１〜ＭＩ３のそれぞれのデータを処理するＭＰＵ１１３ａ〜１１３ｃと、ＭＰＵ１１３ａ〜１１３ｃの処理結果を格納するＲ，Ｇ，Ｂデータ格納メモリＭＯ１〜ＭＯ３と、Ｒ，Ｇ，Ｂデータ格納メモリＭＯ１〜ＭＯ３の出力結果を選択して出力する出力画像バス制御部５０３とから構成される。
【００４６】
入力画像バス制御部はＭＰＵ１１３ａ〜１１３ｃおよびカラー／白黒判定部１０１の出力に基づいて制御される。
【００４７】
図１２は、本実施の形態における画像処理部の動作を説明するための図である。
【００４８】
図を参照して、Ｒ，Ｇ，Ｂデータ格納メモリＭＩ１〜ＭＩ３はそれぞれ３色分の画像データを記憶する容量を持っているため、カラー原稿が３頁連続した場合には、それらのカラー原稿のデータはＲ，Ｇ，Ｂデータ格納メモリＭＩ１〜ＭＩ３のそれぞれに格納される。格納された画像データは、ＭＰＵ１１３ａ〜１１３ｃのそれぞれで処理され、Ｒ，Ｇ，Ｂデータ格納メモリＭＯ１〜ＭＯ３のそれぞれに格納される。
【００４９】
このようにして、カラー原稿が連続した場合最大３頁の処理を並行して行なうことができる。一方、白黒原稿はカラー原稿に対して画像データの量が１／３であるため、１つのＲ，Ｇ，Ｂデータ格納メモリに３頁分の白黒画像データを格納することができる。これにより、Ｒ，Ｇ，Ｂデータ格納メモリＭＩ１〜ＭＩ３を用いて最大９頁の白黒画像の処理をＭＰＵ１１３ａ〜１１３ｃで行なうことができる。
【００５０】
以上のように、この実施の形態における画像処理装置では画像データの種類に応じて、画像データの処理する頁数を変更するため、カラー原稿と白黒原稿とが混在した複数の原稿をＡＤＦなどを用いて連続して一度に処理する際のトータルスピードの向上を図ることができる。
【００５１】
［変形例］
なお、上述の実施の形態においては入力画像バス制御部および出力画像バス制御部をハードウェア的にコントロールするようにしたが、これをソフトウェアにより行なってもよい。そのような場合にはたとえばプログラムなどの記録媒体を介して、画像処理プログラムをＭＰＵにインストールし、各ＭＰＵでプログラムを実行すればよい。たとえば、第１の実施の形態においては図６に示されるフローチャートに代えて、図１３に示されるフローチャートを実行することが可能である。
【００５２】
図１３を参照して、ステップＳ１０１〜Ｓ１０６での処理は図６における処理と同様であるためここでの説明を繰返さない。
【００５３】
ステップＳ１０４での処理の後、ステップＳ１０８で入力画像バス制御部１０５に対しＲデータ格納メモリＲｉｎの白黒原稿画像のデータと制御データとが出力される。この制御データは、Ｒデータ格納メモリＲｉｎに格納された画像データを３分割して分割されたそれぞれの画像データをＭＰＵ１１３ａ〜１１３ｃに送信するための制御データである。たとえば、３分割された画像データのヘッダのデータに基づき入力画像バス制御部１０５の切換は行なわれる。
【００５４】
次に、ステップＳ１１０において出力画像バス制御部１１５へ制御データが出力される。これは、ＭＰＵ１１３ａ〜１１３ｃのデータの順序を揃えるための制御データである。揃えられたデータはＲデータ格納メモリＲｏｕｔに格納される。
【００５５】
また、ステップＳ１０６での処理の後に、ステップＳ１１２においてカラー原稿の画像データがＲ，Ｇ，Ｂデータ格納メモリＲｉｎ，Ｇｉｎ，Ｂｉｎから出力されるように制御が行なわれる。そして、Ｒ，Ｇ，ＢのデータのそれぞれがＭＰＵ１１３ａ〜１１３ｃで処理され、Ｒ，Ｇ，Ｂデータ格納メモリＲｏｕｔ，Ｇｏｕｔ，Ｂｏｕｔにそれぞれ格納される。
【００５６】
第２および第３の実施の形態においても同様のソフトウェアによる制御を行なうことができる。
【００５７】
なお、上述の実施の形態においては、１つの装置内の複数のプロセッサで並列処理を行なう例を示したが、複数の装置を用いて並列処理を行なってもよい。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の第１の実施の形態におけるデジタル複写機の構成を示す図である。
【図２】図１の画像処理装置１０の構成を示すブロック図である。
【図３】図２のカラー／白黒判定部に記録されるヒストグラムのデータについて説明するための図である。
【図４】図３に示されるヒストグラムから求められる別のヒストグラムを説明するための図である。
【図５】カラー／白黒判定部１０１が行なう処理を説明するための図である。
【図６】原稿がカラー原稿であるか白黒原稿であるかを判別する処理を示すフローチャートである。
【図７】図２の画像処理部１０３の構成を示すブロック図である。
【図８】第１の実施の形態における効果を説明するための図である。
【図９】第２の実施の形態における画像処理部の構成を示すブロック図である。
【図１０】第２の実施の形態における効果を説明するための図である。
【図１１】第３の実施の形態における画像処理部の構成を示すブロック図である。
【図１２】第３の実施の形態における効果を説明するための図である。
【図１３】本発明の実施の形態の変形例を示すフローチャートである。
【符号の説明】
１０  画像処理装置
１０１  カラー／白黒判定部（ＡＣＳ）
１０３  画像処理部
１１３ａ〜１１３ｃ  ＭＰＵ（画像処理プロセッサ）
【図１】
0003849326.tif 000003
【図２】
0003849326.tif 000004
【図３】
0003849326.tif 000005
【図４】
0003849326.tif 000006
【図５】
0003849326.tif 000007
【図６】
0003849326.tif 000008
【図７】
0003849326.tif 000009
【図８】
0003849326.tif 000010
【図９】
0003849326.tif 000011
【図１０】
0003849326.tif 000012
【図１１】
0003849326.tif 000013
【図１２】
0003849326.tif 000014
【図１３】
0003849326.tif 000015